(57)【要約】【課題】  ステータ巻線の端部を治具のたるみ形成用巻線通し溝に正確に、安定に挿通させることができ、小型ステータにも使用可能な巻線機のステータ取付け治具を提供する。【解決手段】  ステータ１１を支持することにより、巻線機によってステータ巻線１４を磁極歯１３に巻回するとともに、ステータ巻線１４の端部１４ａを接続部（出力ピン）１８に絡げる作業を補助する巻線機のステータ取付け治具２０が、複数のＪ字状鉤部Ｊを、少なくとも巻線機の巻線ノズルが通過することが可能な間隔を隔てて、一辺上に並べて有する板状部材２１を備えている。Ｊ字状鉤部Ｊは、ステータ取付け治具２０がステータ１１を支持したとき、接続部１８と内周部との間に設けられた隙間１７を貫通してステータ１１の一面を越えて突出して、そのＪ字の一方の長突起と他方の短突起との間に挟まれた溝２１ａを、ステータ巻線１４の端部１４ａが乗り越えるようにしている。【選択図】      図１
2008289289.tif 000002
【特許請求の範囲】
【請求項１】
複数の磁極歯を内周部に有するとともに、複数の接続部が設けられたコネクタ部を外周部に有する環状のステータを支持することにより、巻線機によってステータ巻線を前記磁極歯に巻回するとともに、前記ステータ巻線の端部を前記接続部に絡げる作業を補助する巻線機のステータ取付け治具が、
複数のＪ字状鉤部を、少なくとも前記巻線機の巻線ノズルが通過することが可能な間隔を隔てて、一辺上に並べて有する板状部材を備え、
前記板状部材が有する複数の前記Ｊ字状鉤部の各々は、前記ステータ取付け治具が前記ステータを支持したとき、前記接続部と前記内周部との間に設けられた隙間を貫通して前記ステータの一面を越えて突出して、そのＪ字の一方の長突起と他方の短突起との間に挟まれた溝を、前記接続部と前記磁極歯との間に張設される前記ステータ巻線の端部が乗り越えるようにしている
ことを特徴とする巻線機のステータ取付け治具。
【請求項２】
複数の前記Ｊ字状鉤部は、そのＪ字の他方の短突起を共有して対向する２つのＪ字状鉤部の組を少なくとも一組有する
ことを特徴とする請求項１に記載の巻線機のステータ取付け治具。
【発明の詳細な説明】
【技術分野】
【０００１】
本願の発明は、巻線機のステータ取付け治具に関し、特にレゾルバ、モータなどの電気回転装置における複数のステータ巻線の端部に適正なたるみを付与してコネクタ部の接続部（出力ピン）に絡げる作業を円滑に行い得るようにした巻線機のステータ取付け治具に関する。
【背景技術】
【０００２】
従来、電気回転装置の一例であるレゾルバとして、例えば、図６に示されるようなＶＲレゾルバ（バリアブルリラクタンスレゾルバ）０１０が知られている。このＶＲレゾルバ０１０は、ステータ０１1の内側にコア（図示略）を設けたもので、ステータ０１１は、内周部に複数の磁極歯０１３を有する環状のステータスタック０１２の外周にコネクタ部０１６を設けて概略構成されている。ここで、コネクタ部０１６には、複数の出力ピン０１８が取り付けられ、この出力ピン０１８には、磁極歯０１３に巻回されたステータ巻線０１４の終端部０１４ａが絡げられている。
【０００３】
図６は、ステータ０１1が巻線機のステータ取付け治具に装着された状態を示している。ステータ取付け治具には、プレート（板状部材）０２１が設けられており、このプレート０２１は、ステータ０１1がステータ取付け治具に取り付けられてこれにより支持されたとき、コネクタ部０１６と内周部との間の隙間０１７に位置して、その上辺に並べて形成された複数の溝（凹部、この従来例では３つ。図７参照。）０２１aの底が、ステータ０１1の一面より外方に突出するようにされている。
【０００４】
この状態で、ステータ巻線０１４は、磁極歯０１３に巻回されるとともに、その終端部０１４ａは、プレート０２１の溝０２１aの底を乗り越えて出力ピン０１８に絡げられ、その末端部分において、出力ピン０１８に固着される。プレート０２１は、ステータ０１1への巻線が完了した後にステータ巻線０１４の終端部０１４ａの下から抜き出されるので、ステータ巻線０１４にたるみが付与され、これによって、温度変化等によるステータ巻線０１４の断線が防止される。
【０００５】
図６及び図７に示される従来の技術では、ステータ０１1のコネクタ部０１６と内周部との間に隙間０１７を設け、ステータ取付け治具にステータ０１1を支持させたときに、隙間０１７を貫通してステータ０１1の一面に突出する複数の溝０２１aを有するプレート０２１を設け、磁極歯０１３と出力ピン０１８との間でステータ巻線０１４を張設する際に、複数のステータ巻線０１４を区分けしてそれぞれの溝０２１aの底を乗り越えさせる。したがい、巻線機を複雑化したり、製造工数を増加させることなく、ステータ巻線０１４に安定したたるみを付与することができ、且つ、たるみの部分でのステータ巻線０１４の交差を防止することができる等の効果が得られる。
【０００６】
しかしながら、図６及び図７に示される従来の技術では、次に述べるような問題点があった。
すなわち、例えば、巻線機の巻線ノズルによりステータ巻線０１４を磁極歯０１３に巻回した後、その終端部０１４ａを出力ピン０１８に絡げるに際しては、図８及び図９に示されるように、プレート０２１の溝０２１aの幅が巻線ノズル０３０の径よりも小さいために、巻線ノズル０３０は、溝０２１aを通過することができない。そのため、一旦、治具の上（溝０２１aを形成する隣接する両突起０２１ｂ、０２１ｂの上）を飛び越え、次いで降下し、終端部０１４ａを溝０２１aに通してから、出力ピン０１８に終端部０１４ａを絡げるようにしなければならない。このとき、終端部０１４ａを溝０２１aに通すのには、ガイドもないために、正確に溝０２１aに通すのが難しく、その挿通は確率次第とならざるを得ず、歩留まりが悪かった。
【０００７】
なお、これらプレート０２１の溝０２１a、等長の隣接する両突起０２１ｂ、０２１ｂから構成されるステータ巻線０１４の引っ掛け構造を、本願発明のステータ取付け治具が備える後述する「Ｊ字状鉤部」と対比して、「Ｕ字状鉤部」と呼ぶことにすれば、巻線ノズル０３０は、このＵ字状鉤部の上を飛び越え、次いで降下し、終端部０１４ａを溝０２１aに通してから、出力ピン０１８に終端部０１４ａを絡げるようにしなければならない。このとき、終端部０１４ａを溝０２１aに通すのにガイドもなかったので、前記のとおりの問題点があったものである。
【０００８】
また、他の問題点として、前記のようにして巻線ノズル０３０を降下させると、巻戻らない巻線が大きくたるんで、治具（プレート０２１）から外れ易いといった事態も生ずる。さらに、出力ピン０１８と溝０２１aと磁極歯０１３とが一直線上に並んで位置させられていない場合には、巻線ノズル０３０を降下させたとき、突起０２１ｂの真上に巻線が当たるなど、目的の溝０２１aに終端部０１４ａを通すのが難しい。
【０００９】
また、ステータ巻線０１４を、先ず、出力ピン０１８に絡げてから、次いで、磁極歯０１３に巻回するように、ステータ巻線０１４がステータ０１1に巻回される場合には、図１０に示されるように、ステータ巻線０１４の始端部０１４ｂを出力ピン０１８にその上方から下方に向けて絡げて後、巻線ノズル０３０が隣接する両突起０２１ｂ、０２１ｂの上を飛び越え、次いで、降下し、始端部０１４ｂを溝０２１aに通してから、ステータ巻線０１４を磁極歯０１３に巻回するようにしなければならない。このとき、巻線ノズル０３０が、絡げ部（図１０（ａ）中、Ａ部参照）に、これを上に引っ張るような力を加えるので、絡げ部が壊れ易いといった問題点がある。さらに、巻線ノズル０３０が降下すると、図１０（ｂ）に示されるように、巻戻らない巻線が大きくたるんで、治具（プレート０２１）から外れ易いといった事態も生ずる。
【特許文献１】特開２００４−０６４８２１号公報
【発明の開示】
【発明が解決しようとする課題】
【００１０】
本願の発明は、従来の巻線機のステータ取付け治具が有する前記のような問題点を解決して、巻線機の巻線ノズルによりステータ巻線を磁極歯に巻回した後、その終端部を出力ピンに絡げるに際して、あるいは、また、巻線機の巻線ノズルによりステータ巻線の始端部を出力ピンに絡げた後、ステータ巻線を磁極歯に巻回するに際して、巻線ノズルをステータ取付け治具を越えて大きく持ち上げたり、降下させたりすることなく、ステータ巻線の終端部もしくは始端部をステータ取付け治具のたるみ形成用巻線通し溝に正確に挿通させることができ、しかも、ステータ巻線の始端部の出力ピンへの絡げ部を壊すことがなく、また、巻線ノズルの降下により巻戻らない巻線が大きくたるんで治具から外れ易いといった事態も生じない、小型ステータに対しても使用することが可能な巻線機のステータ取付け治具を提供することを課題とする。
【課題を解決するための手段】
【００１１】
前記のような課題は、本願の各請求項に記載された次のような発明により解決される。  すなわち、その請求項１に記載された発明は、複数の磁極歯を内周部に有するとともに、複数の接続部が設けられたコネクタ部を外周部に有する環状のステータを支持することにより、巻線機によってステータ巻線を前記磁極歯に巻回するとともに、前記ステータ巻線の端部を前記接続部に絡げる作業を補助する巻線機のステータ取付け治具が、複数のＪ字状鉤部を、少なくとも前記巻線機の巻線ノズルが通過することが可能な間隔を隔てて、一辺上に並べて有する板状部材を備え、前記板状部材が有する複数の前記Ｊ字状鉤部の各々は、前記ステータ取付け治具が前記ステータを支持したとき、前記接続部と前記内周部との間に設けられた隙間を貫通して前記ステータの一面を越えて突出して、そのＪ字の一方の長突起と他方の短突起との間に挟まれた溝を、前記接続部と前記磁極歯との間に張設される前記ステータ巻線の端部が乗り越えるようにしていることを特徴とする巻線機のステータ取付け治具である。
【００１２】
請求項１に記載された発明は、前記のように構成されているので、巻線機によってステータ巻線を磁極歯に巻回した後、その終端部を接続部（出力ピン）に絡げるに際して、あるいは、また、巻線機によってステータ巻線の始端部を接続部（出力ピン）に絡げた後、ステータ巻線を磁極歯に巻回するに際して、巻線機の巻線ノズルをステータ取付け治具を越えて大きく持ち上げたり、降下させたりすることなく、Ｊ字状鉤部の他方の短突起の上方を通してステータ内周部から接続部へ、また、その逆へ、低い位置で移動させることができ、しかも、この際、Ｊ字状鉤部のＪ字の一方の長突起をステータ巻線の端部のガイドとして使用することができるので、ステータ巻線の終端部もしくは始端部をステータ取付け治具のたるみ形成用巻線通し溝、すなわち、ステータ取付け治具のＪ字状鉤部のＪ字の一方の長突起と他方の短突起との間に挟まれて形成された溝、に正確に挿通させることができる。しかも、巻線ノズルの昇降を伴う移動がステータ巻線の始端部の出力ピンへの絡げ部を壊すこともなく、さらに、巻線ノズルの降下により巻戻らない巻線が大きくたるんで治具から外れ易いといった事態も生じない。これらにより、小型ステータに対しても使用することが可能な巻線機のステータ取付け治具を提供することができる。
【００１３】
また、その請求項２に記載された発明は、請求項１に記載の巻線機のステータ取付け治具において、複数のＪ字状鉤部は、そのＪ字の他方の短突起を共有して対向する２つのＪ字状鉤部の組を少なくとも一組有することを特徴としている。
【００１４】
請求項２に記載された発明は、前記のように構成されているので、巻線機の巻線ノズルをステータ取付け治具を越えて大きく持ち上げたり、降下させたりすることなく、隣接し合うＪ字状鉤部間を通してステータ内周部から接続部へ、また、その逆へ、低い位置で移動させるスペースを確保しつつ、多数のＪ字状鉤部を狭いスペースに集約させて設けることができる。
【発明の効果】
【００１５】
前記のとおり、本願の発明の巻線機のステータ取付け治具によれば、巻線機によってステータ巻線を磁極歯（磁極歯）に巻回した後、その終端部を接続部（出力ピン）に絡げるに際して、あるいは、また、巻線機によってステータ巻線の始端部を接続部（出力ピン）に絡げた後、ステータ巻線を磁極歯（磁極歯）に巻回するに際して、巻線機の巻線ノズルをステータ取付け治具を越えて大きく持ち上げたり、降下させたりすることなく、Ｊ字状鉤部の他方の短突起の上方を通してステータ内周部から接続部へ、また、その逆へ、低い位置で移動させることができ、しかも、この際、Ｊ字状鉤部のＪ字の一方の長突起をステータ巻線の端部のガイドとして使用することができるので、ステータ巻線の終端部もしくは始端部をステータ取付け治具のたるみ形成用巻線通し溝、すなわち、ステータ取付け治具のＪ字状鉤部のＪ字の一方の長突起と他方の短突起との間に挟まれて形成された溝、に正確に挿通させることができる。しかも、巻線ノズルの昇降動がステータ巻線の終端部もしくは始端部の出力ピンへの絡げ部を壊すこともなく、巻線ノズルの降下により巻戻らない巻線が大きくたるんで治具から外れ易いといった事態も生じない。これらにより、小型ステータに対しても使用することが可能な巻線機のステータ取付け治具を得ることができる。
【００１６】
また、複数のＪ字状鉤部が、そのＪ字の他方の短突起を共有して対向する２つのＪ字状鉤部の組を少なくとも一組有するようにして構成される場合には、巻線機の巻線ノズルをステータ取付け治具を越えて大きく持ち上げたり、降下させたりすることなく、隣接し合うＪ字状鉤部間を通してステータ内周部から接続部へ、また、その逆へ、低い位置で移動させるスペースを確保しつつ、多数のＪ字状鉤部を狭いスペースに集約させて設けることができる。
【発明を実施するための最良の形態】
【００１７】
複数の磁極歯を内周部に有するとともに、複数の接続部（出力ピン）が設けられたコネクタ部を外周部に有する環状のステータを支持することにより、巻線機によってステータ巻線を磁極歯に巻回するとともに、ステータ巻線の端部を接続部に絡げる作業を補助する巻線機のステータ取付け治具が、複数のＪ字状鉤部を、少なくとも巻線機の巻線ノズルが通過することが可能な間隔を隔てて、一辺上に並べて有する板状部材を備えるものとする。
【００１８】
このＪ字状鉤部は、ステータ取付け治具がステータを支持したとき、接続部と内周部との間に設けられた隙間を貫通してステータの一面に突出して、そのＪ字の一方の長突起と他方の短突起との間に挟まれた溝を、接続部と磁極歯との間に張設されるステータ巻線の端部が乗り越えるようにするものとする。
【実施例】
【００１９】
次に、本願の発明の一実施例について説明する。
図１は、本実施例の巻線機のステータ取付け治具にステータを取り付けた状態を示す斜視図、図２は、同ステータ取付け治具が備える板状部材の正面図、図３は、同板状部材のＪ字状鉤部をステータ巻線の終端部が乗り越える状況を示す図であって、（ａ）は、個々のＪ字状鉤部が板状部材上にそれぞれ独立して設けられる場合の図、（ｂ）は、隣接する２つのＪ字状鉤部がＪ字の短突起を共有して対向するようにして板状部材上に設けられる場合の図、図４は、同板状部材のＪ字状鉤部をステータ巻線の終端部が乗り越える状況を、同終端部が接続部（出力ピン）に絡げられる状況と併せて示す平面図であって、（ａ）は、図３（ａ）の場合に対応する図、（ｂ）は、図３（ｂ）の場合に対応する図、図５は、ステータ巻線の始端部が出力ピンに絡げられて後、Ｊ字状鉤部を乗り越える状況を示す側断面図であって、（ａ）は、巻線機の巻線ノズルが持ち上げられた状態にある図、（ｂ）は、同じく巻線機の巻線ノズルが降下させられた状態にある図である。
【００２０】
本実施例の巻線機のステータ取付け治具は、特にレゾルバ、モータなどの電気回転装置における複数のステータ巻線の端部に適正なたるみを付与して、ステータのコネクタ部の出力ピンに絡げる作業を円滑に行い得るようにするために使用される。具体的には、複数の磁極歯を内周部に有するとともに、複数の出力ピン（接続部）が設けられたコネクタ部を外周部に有する環状のステータを支持して、巻線機によってステータ巻線を磁極歯に巻回するとともに、ステータ巻線の端部を出力ピンに絡げるに際し、ステータ巻線に適正なたるみを付与する作業を円滑に行い得るように補助するために使用されるものである。
【００２１】
本実施例においては、電気回転装置は、ＶＲレゾルバ（バリアブルリラクタンスレゾルバとされている。図１には、ＶＲレゾルバ１０が本実施例の巻線機のステータ取付け治具２０に装着された状態が示されている。このＶＲレゾルバ１０は、ステータ１1の内側にコア（図示略）を設けたもので、ステータ１１は、内周部に複数の磁極歯１３を有する環状のステータスタック１２の外周に、平面視矩形状に張り出したコネクタ部１６を設けて概略構成されている。
【００２２】
ここで、コネクタ部１６には、複数（本実施例の場合、６本）の出力ピン１８が矩形状の張り出し面から垂直に突出するようにして取り付けられており、これらの出力ピン１８には、磁極歯１３に巻回されたステータ巻線１４の終端部１４ａが絡げられている。出力ピン１８は、コネクタ部１６の張り出し方向端面から前方に突出する差込みプラグ２２にコネクタ部１６の内部で接続させられている。差込みプラグ２２には、外部配線がソケットを介するなどして接続される。
【００２３】
ステータ取付け治具２０には、板状部材２１（図２、図３参照）が設けられており、この板状部材２１の上方の一辺上には、複数（本実施例の場合、３つ）のＪ字状鉤部Ｊが、少なくとも、巻線機の巻線ノズル３０が通過することが可能な間隔を隔てて、並べて形成されている。これらのＪ字状鉤部Ｊの各々は、ステータ取付け治具２０がステータ１１を支持したとき、出力ピン１８とステータ内周部との間に設けられた平面視矩形状の挿通孔から成る隙間１７を貫通してステータ１１の一面に突出して、そのＪ字の一方の長突起２１ｂｌと他方の短突起２１ｂｓとの間に挟まれた溝２１ａの底がステータ１1の一面より外方に突出するようにする。そして、これにより、出力ピン１８と磁極歯１３との間に張設されるステータ巻線１４の終端部１４ａが、この溝２１ａの底を乗り越えるようにしている。なお、ステータ取付け治具２０の全体構造の詳細な図示は、ここでは、省略されている。
【００２４】
このようにしてステータ取付け治具２０がステータ１１を支持した状態で、巻線ノズル３０によりステータ巻線１４が磁極歯１３に巻回される。次いで、その終端部１４ａが板状部材２１のＪ字状鉤部Ｊの溝２１aの底を乗り越えさせられてから出力ピン１８に絡げられ、その末端部分において出力ピン１８に固着される。板状部材２１は、ステータ１1への巻線（ステータ巻線１４の磁極歯１３への巻回と、その終端部１４ａの出力ピン１８への絡げ・固着）が完了した後、ステータ巻線１４の下から抜き去られるので、ステータ巻線１４にたるみが形成され、これによって、温度変化等によるステータ巻線１４の断線が防止される。
【００２５】
ここで、巻線ノズル３０によりステータ巻線１４の終端部１４ａが板状部材２１のＪ字状鉤部Ｊの溝２１aの底を乗り越えさせられてから出力ピン１８に絡げられるに際しては、図３（ａ）及び図４（ａ）に示されているように、巻線ノズル３０がＪ字状鉤部Ｊの短突起２１ｂｓの上方を通過するようにし、それと同時に、ステータ巻線１４の終端部１４ａがＪ字状鉤部Ｊの長突起２１ｂｌに引っ掛けられて、これにガイドされるようにする。次いで、巻線ノズル３０が降下して、その終端部１４ａが出力ピン１８に下方から上方に向けて絡げられるようにすれば良い。短突起２１ｂｓの上方には、巻線ノズル３０が通過し得る広い空間が確保されているので、巻線ノズル３０は、ステータ取付け治具２０を越えて大きく持ち上げられたり、降下させられたりする必要がなく、ステータ取付け治具２０のＪ字状鉤部Ｊの短突起２１ｂｓを越えて小さく持ち上げられ、降下させられれば良い。
【００２６】
このように、巻線ノズル３０をステータ取付け治具２０のＪ字状鉤部Ｊの短突起２１ｂｓを越えて小さく（低く）持ち上げ、降下させても、短突起２１ｂｓの上方を通してステータ内周部から出力ピン１８側へ巻線ノズル３０を移動させることができる。しかも、この際、Ｊ字状鉤部Ｊの長突起２１ｂｌをステータ巻線１４の終端部１４ａのガイドとして使用することができるので、終端部１４ａをステータ取付け治具２０のたるみ形成用巻線通し溝、すなわち、板状部材２１のＪ字状鉤部Ｊの長突起２１ｂｌと短突起２１ｂｓとの間に挟まれて形成された溝２１ａに正確に挿通させることができる。また、巻線ノズル３０の降下により巻戻らない巻線が大きくたるんで治具２０から外れ易いといった事態も生じない。これらにより、小型ステータに対しても使用することが可能な巻線機のステータ取付け治具を提供することができる。
【００２７】
なお、ステータ巻線１４のステータ１1への巻線（ステータ巻線１４の磁極歯１３への巻回と、その端部の出力ピン１８への絡げ・固着）は、図５（ａ）、図５（ｂ）に示されているように、先ず、ステータ巻線１４の始端部１４ｂの出力ピン１８への固着・絡げが行われ、次に、ステータ巻線１４の磁極歯１３への巻回が行われるようにして行われる場合がある。この場合にも、前記と同様の巻線ノズル３０の昇降を伴う移動（但し、方向は逆）により巻線作業が行われ、前記と同様の効果が得られるが、効果については、その他に、巻線ノズル３０のステータ取付け治具２０を越えての移動が、これを低く持ち上げ（図５（ａ））、降下させる（図５（ｂ））ことによって行われるので、巻線ノズル３０の昇降を伴う移動がステータ巻線１４の始端部１４ｂの出力ピン１８への絡げ部Ａを壊すことがないといった効果が得られる。
【００２８】
図３（ｂ）、図４（ｂ）には、ステータ取付け治具２０が備える板状部材２１の変形例が図示されている。この変形例では、板状部材２１の上方の一辺上に並べて形成される複数のＪ字状鉤部Ｊの隣接し合う一組のＪ字状鉤部Ｊ、Ｊ同士が、それらのＪ字の短突起２１ｂｓを共有して対向するようにして組み合わせられている。そして、このような組が二組、形成されている。なお、この組数は、必要に応じて決定される。
【００２９】
このようにして複数のＪ字状鉤部Ｊのうちの２つずつを一組にして形成すれば、巻線機の巻線ノズル３０をステータ取付け治具２０を越えて大きく持ち上げたり、降下させたりすることなく、短突起２１ｂｓ上を低く越えて移動させて、隣接し合う一組のＪ字状鉤部Ｊ、Ｊ間を通してステータ内周部から出力ピン１８側へ、また、その逆へ、移動させるスペースを確保しつつ、多数のＪ字状鉤部Ｊを狭いスペースに集約させて設けることができる。
【００３０】
なお、本願の発明は、以上の実施例に限定されず、その要旨を逸脱しない範囲において、種々の変形が可能である。
【図面の簡単な説明】
【００３１】
【図１】本願の発明の一実施例の巻線機のステータ取付け治具にステータを取り付けた状態を示す斜視図である。
【図２】同ステータ取付け治具が備える板状部材の正面図である。
【図３】同板状部材のＪ字状鉤部をステータ巻線の終端部が乗り越える状況を示す図であって、（ａ）は、個々のＪ字状鉤部が板状部材上にそれぞれ独立して設けられる場合の図、（ｂ）は、隣接する２つのＪ字状鉤部がＪ字の短突起を共有して対向するようにして板状部材上に設けられる場合の図である。
【図４】同板状部材のＪ字状鉤部をステータ巻線の終端部が乗り越える状況を、同終端部が接続部（出力ピン）に絡げられる状況と併せて示す平面図であって、（ａ）は、図３（ａ）の場合に対応する図、（ｂ）は、図３（ｂ）の場合に対応する図である。
【図５】ステータ巻線の始端部が出力ピンに絡げられて後、板状部材のＪ字状鉤部を乗り越える状況を示す側断面図であって、（ａ）は、巻線機の巻線ノズルが持ち上げられた状態にある図、（ｂ）は、同じく巻線機の巻線ノズルが降下させられた状態にある図である。
【図６】従来の巻線機のステータ取付け治具にステータを取り付けた状態を示す概略斜視図である。
【図７】従来の巻線機のステータ取付け治具が備える板状部材の正面図である。
【図８】同板状部材のＵ字状鉤部をステータ巻線の終端部が乗り越える状況を示す図である。
【図９】同板状部材のＵ字状鉤部をステータ巻線の終端部が乗り越える状況を、同終端部が接続部（出力ピン）に絡げられる状況と併せて示す平面図である。
【図１０】ステータ巻線の始端部が出力ピンに絡げられて後、同板状部材のＵ字状鉤部を乗り越える状況を示す側断面図であって、（ａ）は、巻線機の巻線ノズルが持ち上げられた状態にある図、（ｂ）は、同じく巻線機の巻線ノズルが降下させられた状態にある図である。
【符号の説明】
【００３２】
１０…ＶＲレゾルバ（バリアブルリラクタンスレゾルバ）、１１…ステータ、１２…ステータスタック、１３…磁極歯（磁極突起）、１４…ステータ巻線、１４ａ…終端部、１４ｂ…始端部、１６…コネクタ部、１７…隙間、１８…出力ピン、２０…ステータ取付け治具、２１…板状部材、２１ａ…溝、２１ｂｌ…長突起、２１ｂｓ…短突起、２２…差込みプラグ、３０…巻線ノズル、Ａ…絡げ部、Ｊ…Ｊ字状鉤部。
【図１】
2008289289.tif 000003
【図２】
2008289289.tif 000004
【図３】
2008289289.tif 000005
【図４】
2008289289.tif 000006
【図５】
2008289289.tif 000007
【図６】
2008289289.tif 000008
【図７】
2008289289.tif 000009
【図８】
2008289289.tif 000010
【図９】
2008289289.tif 000011
【図１０】
2008289289.tif 000012